(57)【要約】【課題】ユーザが、現在の機器設定の状態を確実に把握することが可能な放送受信装置を提供する。【解決手段】このデジタルテレビジョン１００（放送受信装置）は、装置本体内に設けられデジタルテレビジョン放送波を受信するチューナ１１と、チューナ１１を介して取得された放送事業者毎の番組情報（ＳＩ）と、チューナ１１とは別に設けられ、デジタルテレビジョン放送波を受信可能なＵＳＢ型チューナ５０を介して取得された放送事業者毎の番組情報（ＳＩ）とを比較することにより、チューナ１１を介して取得された番組情報と、ＵＳＢ型チューナ５０を介して取得された番組情報とが異なると判断した際に、放送事業者において番組情報が更新されている旨を示す通知画面７０を表示画面部３０に表示してユーザに対して通知する制御を行う制御部１８とを備える。【選択図】図３
2011223196.tif 000002
【特許請求の範囲】
【請求項１】
装置本体内に設けられ、各放送事業者から送出される番組情報を含むデジタルテレビジョン放送波を受信する第１受信部と、
前記第１受信部を介して取得された前記放送事業者毎の番組情報と、前記第１受信部とは別に設けられ、前記デジタルテレビジョン放送波を受信可能な第２受信部を介して取得された前記放送事業者毎の番組情報とを比較することにより、前記第１受信部を介して取得された番組情報と、前記第２受信部を介して取得された番組情報とが異なると判断した際に、前記放送事業者において番組情報が更新されている旨を示す案内情報をユーザに対して通知する制御を行う制御部とを備える、放送受信装置。
【請求項２】
前記第２受信部は、前記装置本体に接続可能に構成された外部機器内に設けられており、
前記制御部は、前記第１受信部を介して取得された前記番組情報と、前記装置本体に接続された前記外部機器の前記第２受信部を介して取得された前記番組情報とが異なると判断した際に、前記案内情報をユーザに対して通知する制御を行うように構成されている、請求項１に記載の放送受信装置。
【請求項３】
前記制御部は、前記装置本体に接続された前記外部機器の前記第２受信部の受信周波数を順次変更させながらスキャニングを行わせることにより、前記装置本体内の第１受信部を介して取得された前記放送事業者毎の番組情報と前記第２受信部を介して取得された前記放送事業者毎の番組情報とを比較して、前記第１受信部を介して取得された前記番組情報と前記第２受信部を介して取得された前記番組情報とが異なると判断した際に、前記案内情報をユーザに対して通知する制御を行うように構成されている、請求項２に記載の放送受信装置。
【請求項４】
各放送事業者から送出される前記番組情報は、前記デジタルテレビジョン放送波を構成するトランスポートストリームが有する番組配列情報を含み、
前記制御部は、前記第１受信部を介して取得された前記放送事業者毎の番組配列情報と、前記装置本体に接続された前記外部機器の前記第２受信部を介して取得された前記放送事業者毎の番組配列情報とが異なると判断した際に、前記案内情報をユーザに対して通知する制御を行うように構成されている、請求項２または３に記載の放送受信装置。
【請求項５】
前記放送事業者毎の番組情報に基づいてユーザが選局可能なチャンネル番号リストが作成されるように構成されており、
前記案内情報は、前記第１受信部を介して取得された前記番組情報に基づくチャンネル番号リストを、前記第２受信部を介して取得された前記番組情報に基づくチャンネル番号リストに置き換える更新処理を行うか否かをユーザに問い合わせる旨のメッセージを含み、
前記制御部は、前記メッセージに対するユーザの操作に基づいて、前記更新処理を行うか否かを決定する制御を行うように構成されている、請求項４に記載の放送受信装置。
【請求項６】
前記制御部は、前記更新処理を行う際、前記第２受信部に前記デジタルテレビジョン放送波を受信させて表示装置に表示させるとともに、前記第１受信部の受信周波数を順次変更させながらスキャニングを行わせることにより、前記放送事業者による更新後の番組情報に基づいたチャンネル番号リストを作成して前記更新処理を行うように構成されている、請求項５に記載の放送受信装置。
【請求項７】
前記制御部は、前記更新処理を行う際、前記第１受信部を介して取得された前記番組情報と、前記第２受信部を介して取得された前記番組情報とを比較した際の差分に基づいて、前記第１受信部にスキャニングを行わせることにより、前記放送事業者による更新後の番組情報に基づいた前記チャンネル番号リストを作成する制御を行うように構成されている、請求項６に記載の放送受信装置。
【請求項８】
前記制御部は、所定の期間毎に、前記第１受信部を介して取得された前記番組情報と、前記装置本体に接続された前記外部機器の前記第２受信部の受信周波数を順次変更させながらスキャニングを行わせて取得された前記番組情報とを比較して、前記放送事業者により番組情報が更新されたか否かを判断する制御を行うように構成されている、請求項２〜７のいずれか１項に記載の放送受信装置。
【請求項９】
前記制御部は、前記第１受信部を介して取得された前記番組情報と、前記第２受信部を介して取得された前記番組情報とが異なると判断した際に、前記案内情報を表示装置に表示させることにより前記案内情報をユーザに対して通知する制御を行うように構成されている、請求項１〜８のいずれか１項に記載の放送受信装置。
【発明の詳細な説明】
【技術分野】
【０００１】
この発明は、放送受信装置に関し、特に、デジタルテレビジョン放送波を受信する受信部を備えた放送受信装置に関する。
【背景技術】
【０００２】
従来、デジタルテレビジョン放送波を受信する受信部を備えた放送受信装置などが知られている（たとえば、特許文献１および２参照）。
【０００３】
上記特許文献１には、テレビジョン放送波を受信する複数のチューナ部（２台）と、チューナ部を含む装置本体の動作状況に応じて所定の処理を実行させることが可能な制御部とを備えた情報処理装置（放送受信装置）が開示されている。この特許文献１に記載の情報処理装置では、２台のチューナ部のうち、現時点において放送波の受信に使用されていない方のチューナ部を使用してチャンネルのスキャニングを行うことにより、ユーザが視聴可能なテレビ番組のチャンネル番号リストを最新の状態に更新することが可能に構成されている。なお、このスキャニング動作を伴う機器設定は、ユーザが特別な操作を行うことなく装置本体内部で自動的に行われるように構成されている。
【０００４】
また、上記特許文献２には、放送局から映像信号と共に送信されるインタラクティブサービス情報信号を受信可能な放送信号受信手段と、この放送信号受信手段を制御する制御部とを備えた放送信号受信装置によるインタラクティブサービス放送自動検索サービスが開示されている。この特許文献２に記載の放送信号受信装置によるインタラクティブサービス放送自動検索サービスでは、制御部により、装置本体の動作モードに変更が生じたこと（たとえば電源がオフ状態からオン状態に切り換わる時など）をトリガとして、受信可能なチャンネルのスキャニングを行うとともに、受信可能なチャンネルにインタラクティブサービス放送が含まれているか否かを判別するように構成されている。なお、スキャニング動作を伴う機器設定は、ユーザが特別な操作を行うことなく装置本体内部で自動的に行われるように構成されている。
【先行技術文献】
【特許文献】
【０００５】
【特許文献１】特開２００９−２９０５８７号公報
【特許文献２】特開平０９−１６３３４８号公報
【発明の概要】
【発明が解決しようとする課題】
【０００６】
しかしながら、上記特許文献１に記載の情報処理装置では、チャンネル番号リストの更新処理がユーザインタフェース（ユーザの意思による直接的な操作が可能な環境）を介さずに装置本体内部で自動的に行われるため、ユーザは、チャンネル番号リストが更新されているか否かを直接的に把握することが困難であると考えられる。特に、チャンネル番号リストが最新の状態に更新されているか否かは、ユーザが視聴可能なテレビ番組の数が増えるか否かに直接関わる内容であり、上記特許文献１に記載の情報処理装置では、ユーザが、情報処理装置の現在の機器設定の状態を確実に把握することができないという問題点がある。
【０００７】
また、上記特許文献２に記載の放送信号受信装置では、受信可能なチャンネルのスキャニング動作がユーザインタフェース（ユーザの意思による直接的な操作が可能な環境）を介さずに装置本体内部で自動的に行われるため、ユーザは、受信可能なチャンネル数が変更されているか否かを直接的に把握することが困難であると考えられる。特に、受信可能なチャンネル数が最新の状態に変更されているか否かは、ユーザが視聴可能なテレビ番組の数が増えるか否かに直接関わる内容であり、上記特許文献２に記載の放送信号受信装置では、ユーザが、放送信号受信装置の現在の機器設定の状態を確実に把握することができないという問題点がある。
【０００８】
この発明は、上記のような課題を解決するためになされたものであり、この発明の１つの目的は、ユーザが、現在の機器設定の状態を確実に把握することが可能な放送受信装置を提供することである。
【課題を解決するための手段および発明の効果】
【０００９】
この発明の一の局面による放送受信装置は、装置本体内に設けられ、各放送事業者から送出される番組情報を含むデジタルテレビジョン放送波を受信する第１受信部と、第１受信部を介して取得された放送事業者毎の番組情報と、第１受信部とは別に設けられ、デジタルテレビジョン放送波を受信可能な第２受信部を介して取得された放送事業者毎の番組情報とを比較することにより、第１受信部を介して取得された番組情報と、第２受信部を介して取得された番組情報とが異なると判断した際に、放送事業者において番組情報が更新されている旨を示す案内情報をユーザに対して通知する制御を行う制御部とを備える。
【００１０】
この発明の一の局面による放送受信装置では、上記のように、第１受信部を介して取得された放送事業者毎の番組情報と、第２受信部を介して取得された放送事業者毎の番組情報とを比較することにより、第１受信部を介して取得された番組情報と、第２受信部を介して取得された番組情報とが異なると判断した際に、放送事業者において番組情報が更新されている旨を示す案内情報をユーザに対して通知する制御を行う制御部を備えることによって、ユーザは、通知された案内情報に基づいて、放送受信装置の現在の機器設定の状態を確実に把握することができる。すなわち、デジタル信号形式によるテレビジョン放送では、ある時点において放送事業者側の都合で番組情報が更新される場合がある。たとえば、物理チャンネルや仮想チャンネル（サブチャンネル）などが追加または削除されることにより番組情報が更新された場合、放送受信装置側においても、番組情報の更新に対応して適切な受信を図るための機器設定を再度行う必要がある。ここで、デジタル信号形式によるテレビジョン放送では、放送波に、映像データおよび音声データに加えてテレビ番組の放送日時や放送時間やその他の情報を含んだ番組情報が付加されている。また、デジタルテレビジョン放送波が受信可能な放送受信装置は、放送事業者毎の放送波に含まれる番組情報に基づいて機器設定が行われるように構成されている。したがって、放送受信装置の現時点における状態をユーザに通知する手段がない場合、ユーザは、番組情報が更新（変更）されたことすら知らされない状況に置かれてしまい、本来なら視聴可能なテレビ番組（チャンネル番号）が存在するにも関わらず見落としてしまう場合がある。他方で、放送受信装置が自動的に機器設定を更新（再設定）するように構成されている場合、視聴中にも関わらずユーザの意に反した処理動作が実行されることに起因して、ユーザがテレビ番組を視聴するのが妨げられてしまう場合もある。この点において、上記した本発明の構成では、案内情報を介してユーザが放送受信装置の現在の機器設定の状態を確実に把握することができるので、放送受信装置に対する適切な操作を行うことができる。
【００１１】
上記一の局面による放送受信装置において、好ましくは、第２受信部は、装置本体に接続可能に構成された外部機器内に設けられており、制御部は、第１受信部を介して取得された番組情報と、装置本体に接続された外部機器の第２受信部を介して取得された番組情報とが異なると判断した際に、案内情報をユーザに対して通知する制御を行うように構成されている。このように構成すれば、ユーザは、放送受信装置と接続されている外部機器を有効に利用して、放送受信装置の現在の状態を把握することができる。また、放送受信装置に設けられた外部機器との接続機能を有効に利用して、放送受信装置の機器設定の状態を容易に把握することができる。
【００１２】
上記第２受信部が装置本体に接続可能に構成された外部機器内に設けられる構成において、好ましくは、制御部は、装置本体に接続された外部機器の第２受信部の受信周波数を順次変更させながらスキャニングを行わせることにより、装置本体内の第１受信部を介して取得された放送事業者毎の番組情報と第２受信部を介して取得された放送事業者毎の番組情報とを比較して、第１受信部を介して取得された番組情報と第２受信部を介して取得された番組情報とが異なると判断した際に、案内情報をユーザに対して通知する制御を行うように構成されている。このように構成すれば、元々、装置本体に内蔵されている第１受信部の受信機能を中断させることなく継続させた状態で、外部接続された外部機器の第２受信部を用いて現在の番組情報を放送事業者毎にスキャニングすることができるので、第１受信部の受信機能を中断させない分、ユーザに何ら影響を及ぼすことなくテレビ番組の視聴を継続させることができる。
【００１３】
上記第２受信部が装置本体に接続可能に構成された外部機器内に設けられる構成において、好ましくは、各放送事業者から送出される番組情報は、デジタルテレビジョン放送波を構成するトランスポートストリームが有する番組配列情報を含み、制御部は、第１受信部を介して取得された放送事業者毎の番組配列情報と、装置本体に接続された外部機器の第２受信部を介して取得された放送事業者毎の番組配列情報とが異なると判断した際に、案内情報をユーザに対して通知する制御を行うように構成されている。このように構成すれば、各々の受信部を介して取得された番組情報に含まれる番組配列情報（ＳＩ：サービス情報）同士を比較することにより、放送受信装置側において番組情報が更新されたか否かを容易に判別することができる。特に、番組配列情報には、放送事業者毎のチャンネル（サブチャンネル）の追加や削除に関する情報が規定されているので、番組配列情報を比較することにより、放送受信装置の現在の機器設定の状態を確実に把握することができる。
【００１４】
上記番組情報が番組配列情報を含む構成において、好ましくは、放送事業者毎の番組情報に基づいてユーザが選局可能なチャンネル番号リストが作成されるように構成されており、案内情報は、第１受信部を介して取得された番組情報に基づくチャンネル番号リストを、第２受信部を介して取得された番組情報に基づくチャンネル番号リストに置き換える更新処理を行うか否かをユーザに問い合わせる旨のメッセージを含み、制御部は、メッセージに対するユーザの操作に基づいて、更新処理を行うか否かを決定する制御を行うように構成されている。このように構成すれば、チャンネル番号リストの更新処理を行うか否かは、ユーザが視聴可能なテレビ番組の数が増えるか否かに直接関わる内容であるので、案内情報がチャンネル番号リストの更新処理を行うか否かを問い合わせるメッセージを含むことによって、ユーザの注意を確実に引きつけるとともに、ユーザに対して機器設定に関する的確な判断を行わせることができる。
【００１５】
上記案内情報が更新処理を行うか否かをユーザに問い合わせる旨のメッセージを含む構成において、好ましくは、制御部は、更新処理を行う際、第２受信部にデジタルテレビジョン放送波を受信させて表示装置に表示させるとともに、第１受信部の受信周波数を順次変更させながらスキャニングを行わせることにより、放送事業者による更新後の番組情報に基づいたチャンネル番号リストを作成して更新処理を行うように構成されている。このように構成すれば、装置本体に内蔵されている第１受信部を使用してスキャニングを行うので、より確実かつ迅速に現在の番組情報を取得することができる。他方で、外部接続された外部機器の第２受信部を用いることにより、一時的にでもデジタルテレビジョン放送波を受信することができるので、第１受信部がスキャニング中であっても、ユーザのテレビ番組の視聴を容易に継続させることができる。
【００１６】
この場合、好ましくは、制御部は、更新処理を行う際、第１受信部を介して取得された番組情報と、第２受信部を介して取得された番組情報とを比較した際の差分に基づいて、第１受信部にスキャニングを行わせることにより、放送事業者による更新後の番組情報に基づいたチャンネル番号リストを作成する制御を行うように構成されている。このように構成すれば、第１受信部を使用してスキャニングを行う際、更新の有無に関係なく全ての放送事業者から発信された放送波を順次受信して番組情報を取得する場合と異なり、更新の有無が生じている放送事業者から発信された番組情報のみを選択的に取得して更新後の番組情報に基づいたチャンネル番号リストを作成することができる。これにより、スキャニング動作に関わる制御部の負担を軽減することができるととともに、チャンネル番号リストの作成に要する時間を短くすることができる。
【００１７】
上記第２受信部が装置本体に接続可能に構成された外部機器内に設けられる構成において、好ましくは、制御部は、所定の期間毎に、第１受信部を介して取得された番組情報と、装置本体に接続された外部機器の第２受信部の受信周波数を順次変更させながらスキャニングを行わせて取得された番組情報とを比較して、放送事業者により番組情報が更新されたか否かを判断する制御を行うように構成されている。このように構成すれば、制御部による番組情報の新旧の比較処理を不定期に行う場合と異なり、番組情報の比較処理を定期的に行う分、番組情報の更新の有無を確実に把握することができる。すなわち、番組情報が更新されたことを見落とす確率が低くなる分、常に、ユーザに対して確実な情報（機器設定の状態）を通知することができる。
【００１８】
上記一の局面による放送受信装置において、好ましくは、制御部は、第１受信部を介して取得された番組情報と、第２受信部を介して取得された番組情報とが異なると判断した際に、案内情報を表示装置に表示させることにより案内情報をユーザに対して通知する制御を行うように構成されている。このように構成すれば、放送受信装置の現在の機器設定の状態を、表示装置を介してユーザに確実に通知することができる。
【図面の簡単な説明】
【００１９】
【図１】本発明の第１実施形態によるデジタルテレビジョンの構成を示したブロック図である。
【図２】本発明の第１実施形態によるデジタルテレビジョンが保有するチャンネル番号リストを示した概略図である。
【図３】本発明の第１実施形態によるデジタルテレビジョンが表示する通知画面の構成を示した図である。
【図４】本発明の第１実施形態によるデジタルテレビジョンが表示する通知画面の構成を示した図である。
【図５】本発明の第１実施形態によるデジタルテレビジョンの制御動作を説明するためのフローチャートである。
【図６】本発明の第２実施形態によるＨＤＤレコーダにデジタルテレビジョンが接続された状態を示したブロック図である。
【発明を実施するための形態】
【００２０】
（第１実施形態）
まず、図１〜図４を参照して、本発明の第１実施形態によるデジタルテレビジョン１００の構成について説明する。なお、第１実施形態では、放送受信装置の一例であるデジタルテレビジョン１００に本発明を適用した場合について説明する。
【００２１】
本発明の第１実施形態によるデジタルテレビジョン１００は、図１に示すように、装置本体に内蔵された制御回路部１０と、映像を表示する表示画面部３０と、音声を出力するスピーカ３１と、ユーザが離れた位置からデジタルテレビジョン１００を操作するために設けられたリモコン５５とを備えている。なお、表示画面部３０は、本発明の「表示装置」の一例である。
【００２２】
また、デジタルテレビジョン１００は、アンテナケーブル４１を介して家屋などに設置されたアンテナ４０に接続されることにより、各放送事業者から送出（配信）されるテレビジョン放送波を受信することが可能に構成されている。ここで、各放送事業者から送出されるテレビジョン放送波とは、地上波デジタル放送および衛星デジタル放送の両方の放送形式を含んでいる。
【００２３】
また、制御回路部１０には、所定の伝送チャンネルを選局して放送事業者毎のデジタルテレビジョン放送波を受信するチューナ１１と、受信されたテレビジョン放送波（アナログ電波）を直交周波数分割多重（ＯＦＤＭ）方式を用いてデジタル信号に復調するＯＦＤＭ復調部１２と、復調後の符号化されたデジタル信号（トランスポートストリーム：ＴＳ）をデコード（復号化）することにより、ＴＳを、映像データ、音声データおよびその他の番組情報などに分解するＴＳデコーダ１３と、ＴＳデコーダ１３により復号された映像信号に対して各種処理を行う映像処理部１４と、ＴＳデコーダ１３により復号された音声信号に対して処理を行う音声処理部１５と、後述する制御部１８から出力指示された文字情報や色情報に基づく映像データを表示画面部３０から出力される映像データに組み込む処理を行うＯＳＤ部（オンスクリーンディスプレイ部）１６とが設けられている。また、映像データは、映像処理部１４においてＤ／Ａ変換処理（デジタル／アナログ変換処理）がなされた後に表示画面部３０から出力される一方、音声データは、音声処理部１５においてＤ／Ａ変換処理がなされた後にスピーカ３１から出力されるように構成されている。なお、チューナ１１は、本発明の「第１受信部」の一例である。
【００２４】
ここで、チューナ１１により受信されてＯＦＤＭ復調部１２により復調されたトランスポートストリーム（ＭＰＥＧ−ＴＳ）は、各放送事業者から送出（配信）されるデジタル信号化された映像データ、音声データおよびその他の番組情報などによって構成されている。また、放送事業者毎の番組情報には、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）からなる情報が含まれている。また、ＳＩ（サービス情報）は、ＰＳＩ（番組情報）を補完する目的で設けられており、ＳＩには、放送番組の名称や放送日時などの「番組配列情報」が記録されたＥＩＴ（Ｅｖｅｎｔ  Ｉｎｆｏｒｍａｔｉｏｎ  Ｔａｂｌｅ）が含まれている。また、ＳＩには、ＥＩＴ以外の複数の番組配列情報が、テーブル形式の状態で個別に規定されている。なお、ＰＳＩは、本発明の「番組情報」の一例であり、ＳＩ（サービス情報）およびＥＩＴは、本発明の「番組配列情報」の一例である。
【００２５】
したがって、デジタルテレビジョン１００では、テレビジョン放送波を受信した際に各放送事業者から送出されたＴＳに含まれるサービス情報（ＳＩ）に基づいて、ユーザが選局可能なチャンネル番号リスト６０（図２参照）が機器内部で作成されるように構成されている。すなわち、ユーザが装置本体をアンテナ４０に接続して最初に使用する際に、後述する制御部１８の指令によりチューナ１１の受信周波数を順次変更させながら各放送事業者から送出されたＴＳを順次スキャニングすることにより、各々のＴＳに含まれるＳＩ（ＥＩＴ）に基づいて、装置本体内にチャンネル番号リスト６０が予め構築されるように構成されている。これにより、ユーザがリモコン５５などを介してチャンネル選局を行った際、チャンネル番号リスト６０に基づいてチューナ１１の受信周波数を切り換えることにより、選択されたチャンネル番号に対応するテレビジョン放送波を受信することが可能に構成されている。
【００２６】
また、図１に示すように、制御回路部１０は、上述の構成に加えて、外部機器（第１実施形態ではＵＳＢ型チューナ５０）をデジタルテレビジョン１００と接続するための外部入力端子１７（ＵＳＢポート）と、ＣＰＵからなりデジタルテレビジョン１００の全体の制御を司る制御部１８と、制御プログラムや機器内部に作成されたチャンネル番号リスト６０などを格納（記録）するメモリ部１９と、リモコン５５からのリモコン信号を受光した後に電気信号に変換して制御部１８に指令を与える受光部２０とが設けられている。また、制御回路部１０の各構成要素は、バス（伝送路）２１を介して互いに接続されることにより、制御部１８による指令信号やＴＳに含まれる各種データを互いにやり取りすることが可能に構成されている。なお、ＵＳＢ型チューナ５０は、本発明の「外部機器」および「第２受信部」の一例である。
【００２７】
また、外部機器となるＵＳＢ型チューナ５０は、電子機器（パソコンなど）のＵＳＢポートに接続して電源供給を受けることにより、本体に設けられたアンテナと内部のチューナとを機能させることにより、テレビジョン放送波を受信することが可能に構成された受信装置（受信端末装置）である。すなわち、上述したチューナ１１と同様に、接続元となるデジタルテレビジョン１００からの指令に基づいて、所定の伝送チャンネルを選局して放送事業者毎のテレビジョン放送波を受信する機能を有している。したがって、ＵＳＢ型チューナ５０を介して受信されたテレビジョン放送波についても、制御回路部１０による各種処理が行われた後に、表示画面部３０およびスピーカ３１に出力されるように構成されている。
【００２８】
ここで、第１実施形態では、デジタルテレビジョン１００によるテレビ番組の視聴がなされている状態で、ユーザによりＵＳＢ型チューナ５０がデジタルテレビジョン１００に接続された際、制御部１８は次の処理動作を行うことが可能に構成されている。すなわち、制御部１８の指令に基づいて、ＵＳＢ型チューナ５０の受信周波数を順次変更させながら各放送事業者から送出されている現在のＴＳを順次スキャニングすることが可能に構成されている。この際、制御部１８は、ＵＳＢ型チューナ５０が外部入力端子１７に接続されたことをトリガとして、ＵＳＢ型チューナ５０を使用した現在のＴＳのスキャニングを自動的に行うように構成されている。また、スキャニングの結果、チューナ１１が過去の時点でスキャニングしてメモリ部１９に記録している放送事業者毎のサービス情報（ＳＩ）と、ＵＳＢ型チューナ５０がスキャニングした現在の放送事業者毎のサービス情報（ＳＩ）とを比較して両者に差異が生じていると判断された場合、該当する放送事業者において、過去の時点（前回スキャニングした時点）からサービス情報（ＳＩ）が更新されている旨を示す案内情報をユーザに対して通知するように構成されている。一方、過去のサービス情報（ＳＩ）との差異が生じていないと判断された場合は、上記した案内情報は通知されないように構成されている。
【００２９】
ここで、過去のサービス情報（ＳＩ）とに差異が生じていると判断された場合に通知される案内情報について説明する。具体的には、図３に示すような通知画面７０が案内情報として表示画面部３０に表示されるように構成されている。すなわち、通知画面７０では、「・・・新たに視聴可能な番組が追加されている可能性があります。オートプリセットを行いますか？」というメッセージ７１が表示されるように構成されている。これにより、ユーザは、装置本体の機器設定に関して、放送事業者側のデータ更新に応じて装置本体が保有する過去の時点で作成していたチャンネル番号リスト６０を、最新のサービス情報（ＳＩ）に基づいて作成し直す必要があるという現状を把握することが可能となる。なお、通知画面７０は、制御回路部１０が有するＯＳＤ機能を使用して、現在表示中のテレビ番組の画面の上に重なるように表示される。
【００３０】
また、通知画面７０には、メッセージ７１に対するユーザの操作を選択させるための３つの選択ボタン（７２〜７４）が設けられている。「ＯＫ」ボタン７２は、更新処理を許可する際にユーザが選択するボタンである。また、「キャンセル」ボタン７３は、更新処理を行わせない際にユーザが選択するボタンであり、「キャンセル」ボタン７３が選択された場合には、通知画面７０が画面から消されてテレビ番組の表示が継続されるように構成されている。また、「オプション」ボタン７４は、ある一定の条件に基づいてチャンネル番号リスト６０の更新処理を行わせるために設けられたボタンであり、詳細は後述する。
【００３１】
したがって、表示画面部３０内の通知画面７０を見たユーザが、リモコン５５を操作して更新処理を実行させるための「ＯＫ」ボタン７２を選択した場合、放送事業者毎に更新された最新のサービス情報（ＳＩ）に基づいてチャンネル番号リスト６０を再構築する処理が行われるように構成されている。このチャンネル番号リスト６０を再構築する処理は、機器に対する「オートプリセット」と呼ばれることがある。また、オートプリセットは、再構築されたチャンネル番号リスト６０をメモリ部１９に上書き保存することにより処理が完結されるように構成されている。ここで、上記したチャンネル番号リスト６０を再構築してメモリ部１９に上書き保存する制御部１８による処理（オートプリセット動作）が、本発明の「更新処理」に対応している。
【００３２】
また、第１実施形態では、「ＯＫ」ボタン７２の押下（ユーザが画面上でボタンを選択して決定する操作）をトリガとしてチャンネル番号リスト６０の再構築を行う際、テレビジョン放送波の受信先をチューナ１１からＵＳＢ型チューナ５０（図１参照）に一時的に切り換えた状態でテレビ番組を表示画面部３０に表示させるように構成されている。したがって、ＵＳＢ型チューナ５０が一時的な受信機能を担う間、制御部１８により装置本体のチューナ１１の受信周波数を順次変更させながら各放送事業者が送出中の現在のＴＳを順次スキャニングすることにより、各々のＴＳに含まれるサービス情報（ＳＩ）を取得するように構成されている。そして、取得された各々のサービス情報（ＳＩ）に含まれるＥＩＴに基づいて、チャンネル番号リスト６０（図２参照）が再構築されるように構成されている。
【００３３】
また、第１実施形態では、上記したチャンネル番号リスト６０の再構築を行う際、過去の時点でチューナ１１を介して取得された放送事業者毎のサービス情報（ＳＩ）と、今回ＵＳＢ型チューナ５０が接続された際に自動的にＵＳＢ型チューナ５０を介して取得された放送事業者毎のサービス情報（ＳＩ）とを比較した際の差分（差異）に基づいて、チャンネル番号リスト６０を再構築するためのスキャニングをチューナ１１に行わせることが可能に構成されている。
【００３４】
このサービス情報（ＳＩ）同士を比較した差分に注目してチューナ１１がスキャニング動作を実行する機能については、通知画面７０の「オプション」ボタン７４（図３参照）を選択することにより実現される。すなわち、ユーザが「オプション」ボタン７４をすると、通知画面７０の下に、図４に示すような通知画面８０が新たにＯＳＤ表示されるように構成されている。
【００３５】
具体的には、通知画面８０には、「追加ＣＨのみスキャン」ボタン８１と、「削除ＣＨのみスキャン」ボタン８２と、「変更ＣＨスのみスキャン」ボタン８３と、「フルスキャン」ボタン８４とが設けられている。ユーザが「追加ＣＨのみスキャン」ボタン８１を選択した場合、制御部１８が得たスキャニング結果（サービス情報（ＳＩ）同士を比較した差分）のうち、以前のチャンネル番号リスト６０に対して放送事業者側で新たに追加されたチャンネル番号のみを追加してチャンネル番号リスト６０が再構築されるように構成されている。また、ユーザが「削除ＣＨのみスキャン」ボタン８２を選択した場合、制御部１８が得たスキャニング結果のうち、以前のチャンネル番号リスト６０に対して放送事業者側で削除されたチャンネル番号のみを削除してチャンネル番号リスト６０が再構築されるように構成されている。また、ユーザが「変更ＣＨスのみスキャン」ボタン８３を選択した場合、上記した「追加」と「削除」とを足し合わせた完全な差分に基づいてチャンネル番号リスト６０が再構築されるように構成されている。そして、ユーザが「フルスキャン」ボタン８４を選択した場合は、通知画面７０の「ＯＫ」ボタン７２（図３参照）を選択した場合と同様の処理が実行されるように構成されている。なお、選択ボタン（８１〜８４のいずれか１つ）を選択した後、「ＯＫ」ボタン８５を押下することにより、チャンネル番号リスト６０を再構築するためのスキャニング動作が実行されるように構成されている。また、選択ボタンの押下に関係なく「戻る」ボタン８６を押下した場合は、通知画面８０が消えて、通知画面７０のみが表示されるように構成されている。
【００３６】
このように、第１実施形態では、制御部１８の指令に基づいて、過去の時点の放送事業者毎のサービス情報（ＳＩ）と現在の放送事業者毎のサービス情報（ＳＩ）との差分のみを把握することにより、更新が生じているサービス情報（ＳＩ）のＥＩＴを参照してチャンネル番号リスト６０を再構築することが可能に構成されている。
【００３７】
また、第１実施形態では、ＵＳＢ型チューナ５０がデジタルテレビジョン１００に接続された場合、制御部１８によるスキャニング動作（ＵＳＢ型チューナ５０による現在のサービス情報（ＳＩ）のスキャニング動作）が、１週間ごとに定期的に行われるように構成されている。また、ＵＳＢ型チューナ５０が接続されてから１週間以上が経過した際、同じＵＳＢ型チューナ５０が接続されている場合は制御部１８によるスキャニング動作が行われる一方、同じＵＳＢ型チューナ５０が接続されていない場合は、ＵＳＢ型チューナ５０のみならず他のチューナ（受信部）を備えた別な外部機器が接続された時点で、速やかに制御部１８によるスキャニング動作（接続されたチューナによる現在のサービス情報（ＳＩ）のスキャニング動作）が行われるように構成されている。これにより、サービス情報（ＳＩ）の更新状況を、より確実に把握することが可能となっている。
【００３８】
次に、図１〜図５を参照して、第１実施形態によるデジタルテレビジョン１００の制御部１８による制御動作について説明する。なお、以下に示す制御動作は、装置本体の主電源がオン状態であり、かつ、ユーザがテレビ番組を視聴している際に制御部１８によって実行される処理フローである。
【００３９】
図５に示すように、まず、ステップＳ１において、外部機器としてのＵＳＢ型チューナ５０（図１参照）が制御回路部１０（図１参照）の外部入力端子１７（図１参照）に接続されたか否かが制御部１８（図１参照）により判断される。このステップＳ１の判断は、ＵＳＢ型チューナ５０が外部入力端子１７に接続されるまで繰り返される。
【００４０】
ステップＳ１において、ＵＳＢ型チューナ５０が外部入力端子１７に接続されたと判断された場合、ステップＳ２では、ＵＳＢ型チューナ５０が接続された時間（日時）が、前回、ＵＳＢ型チューナ５０または他の外部機器が接続された時間（日時）から起算して１週間以上経過しているか否かが制御部１８により判断される。ステップＳ２の判断において１週間以上経過していないと判断された場合は、外部機器の接続時における本制御が終了される。
【００４１】
一方、ステップＳ２の判断において１週間以上経過していると判断された場合、ステップＳ３では、制御部１８の指令に基づき、外部接続されているＵＳＢ型チューナ５０の受信周波数を順次変更させながらＴＳのスキャニングが行われる。これにより、各放送事業者から個別に送出（配信）されている現在のＴＳが順次スキャニングされて、ＴＳに含まれる放送事業者毎のサービス情報（ＳＩ）が取得される。この際、ＵＳＢ型チューナ５０を用いてスキャニングされた個々のサービス情報（ＳＩ）は、制御回路部１０のメモリ部１９に一時的に保存される。
【００４２】
そして、ステップＳ４では、デジタルテレビジョン１００が過去の時点（１週間前）においてスキャニングしてメモリ部１９（図１参照）に記録している放送事業者毎のサービス情報（ＳＩ）と、上述のステップＳ３でＵＳＢ型チューナ５０がスキャニングした現在の放送事業者毎のサービス情報（ＳＩ）との比較が制御部１８によって行われる。
【００４３】
ステップＳ５において、１週間前と現在とで放送事業者毎のサービス情報（ＳＩ）に差異が生じているか否かが制御部１８により判断される。ステップＳ５の判断において、このスキャニング結果に差異が生じていないと判断された場合は、本制御が終了される。すなわち、メモリ部１９に記憶されているチャンネル番号リスト６０（図２参照）の更新（再構築）を行う必要がなく、ユーザは、既存のチャンネル番号リスト６０をそのまま使用してテレビ番組を選局することができる。
【００４４】
一方、ステップＳ５の判断において、１週間より前の時点と現在とで放送事業者毎のサービス情報（ＳＩ）に差異が生じていると判断された場合、ステップＳ６では、制御部１８の指令に基づき、ユーザに対する案内情報の通知が行われる。
【００４５】
すなわち、第１実施形態では、図３に示すような通知画面７０が表示画面部３０に表示される。したがって、テレビ番組を視聴中のユーザは、ＯＳＤ部１６（図１参照）から出力された通知画面７０（メッセージ７１）を見ることにより、デジタルテレビジョン１００によって視聴可能なテレビ番組が追加されている状況を知ることになる。これにより、ユーザは、通知画面７０に設けられた選択ボタン（７２〜７４のいずれか）を操作して、デジタルテレビジョン１００に対する指示を入力する。
【００４６】
すなわち、ステップＳ７において、ユーザによる選択ボタン（７２〜７４のいずれか）の操作がなされたか否かが制御部１８により判断される。ここで、ステップＳ７の判断において、ユーザが「キャンセル」ボタン７３を選択したと判断された場合は、本制御が終了される。
【００４７】
一方、ステップＳ７の判断において、ユーザが「ＯＫ」ボタン７２を選択したと判断された場合、ステップＳ８では、制御部１８の指令に基づき、装置本体内部のチューナ１１（図１参照）を用いて各放送事業者から個別に送出されている現在のＴＳが順次スキャニングされて、放送事業者毎のＴＳに含まれるサービス情報（ＳＩ）が取得される。
【００４８】
この際、第１実施形態では、テレビジョン放送波の受信先を内部のチューナ１１からＵＳＢ型チューナ５０に一時的に切り換えた状態でテレビ番組を表示画面部３０（図１参照）に表示させる。同時に、制御部１８によりチューナ１１の受信周波数を順次変更させながら各放送事業者が送出中の現在のＴＳを順次スキャニングすることにより、各々のＴＳに含まれるサービス情報（ＳＩ）が取得される。
【００４９】
なお、ステップＳ８が実行される際、ステップＳ７の判断において、ユーザが「オプション」ボタン７４を選択したと判断された場合、図４に示すような通知画面８０が通知画面７０の下に表示される。そして、ユーザが選択ボタン（８１〜８４のいずれか）を押下することにより、ステップＳ８でのチューナ１１によるスキャニング動作に関するさらなる指示が入力される。
【００５０】
続いて、ステップＳ９では、ステップＳ８でスキャニングされたＴＳに含まれるサービス情報（ＳＩ）に基づいて、チャンネル番号リスト６０（図２参照）が再構築される。そして、再構築されたチャンネル番号リスト６０がメモリ部１９に上書き保存されることにより「オートプリセット」が完了される。
【００５１】
その後、ステップＳ１０では、「オートプリセット」を行った時刻（日時）がメモリ部１９に記憶される。そして、ステップＳ１１では、「オートプリセット」が完了した旨をユーザに対して通知するための通知画面（図示せず）を表示させる。これにより、テレビ番組を視聴中のユーザは、チャンネル番号リスト６０が最新の状態に更新されたことを知ることになる。所定の時間（たとえば１０秒）経過後に、通知画面を非表示とすることによって、外部機器の接続時における本制御が終了される。
【００５２】
第１実施形態では、上記のように、チューナ１１を介して取得された放送事業者毎の番組情報（ＰＳＩ）と、ＵＳＢ型チューナ５０を介して取得された放送事業者毎の番組情報（ＰＳＩ）とを比較することにより、チューナ１１を介して取得された番組情報と、ＵＳＢ型チューナ５０を介して取得された番組情報とが異なると判断した際に、放送事業者において番組情報が更新されている旨を示す通知画面７０をユーザに対して通知する制御を行う制御部１８を備えることによって、ユーザは、通知された通知画面７０に基づいて、デジタルテレビジョン１００の現在の機器設定の状態を確実に把握することができる。これにより、ユーザは、デジタルテレビジョン１００に対する適切な操作を行うことができる。
【００５３】
また、第１実施形態では、制御部１８を、チューナ１１を介して取得された番組情報と、装置本体に接続されたＵＳＢ型チューナ５０を介して取得された番組情報とが異なると判断した際に、通知画面７０をユーザに対して通知する制御を行うように構成することによって、ユーザは、デジタルテレビジョン１００と接続されている外部機器（ＵＳＢ型チューナ５０）を有効に利用して、デジタルテレビジョン１００の現在の状態を把握することができる。また、デジタルテレビジョン１００に設けられた外部入力端子１７を有効に利用して、デジタルテレビジョン１００の機器設定の状態を容易に把握することができる。
【００５４】
また、第１実施形態では、制御部１８を、装置本体に外部接続されたＵＳＢ型チューナ５０の受信周波数を順次変更させながらスキャニングを行わせることにより、装置本体内部のチューナ１１を介して取得された放送事業者毎の番組情報とＵＳＢ型チューナ５０を介して取得された放送事業者毎の番組情報とを比較して、チューナ１１を介して取得された番組情報とＵＳＢ型チューナ５０を介して取得された番組情報とが異なると判断した際に、通知画面７０をユーザに対して通知する制御を行うように構成することによって、元々、デジタルテレビジョン１００に内蔵されているチューナ１１の受信機能を中断させることなく継続させた状態で、外部接続されたＵＳＢ型チューナ５０を用いて現在の番組情報を放送事業者毎にスキャニングすることができるので、チューナ１１の受信機能を中断させない分、ユーザに何ら影響を及ぼすことなくテレビ番組の視聴を継続させることができる。
【００５５】
また、第１実施形態では、制御部１８が、番組情報（ＰＳＩ）のうちのサービス情報（ＳＩ）を用いて、チューナ１１を介して取得された放送事業者毎のＳＩと、装置本体に接続されたＵＳＢ型チューナ５０を介して取得された放送事業者毎のＳＩとが異なると判断した際に、通知画面７０をユーザに対して通知する制御を行うように構成することによって、各々の受信部を介して取得されたサービス情報（ＳＩ）同士を比較することにより、デジタルテレビジョン１００側において番組情報が更新されたか否かを容易に判別することができる。特に、サービス情報（ＳＩ）には、放送事業者毎のチャンネル（サブチャンネル）の追加や削除に関する情報がＥＩＴに規定されているので、サービス情報（ＳＩ）を比較することにより、デジタルテレビジョン１００の現在の機器設定の状態を確実に把握することができる。
【００５６】
また、第１実施形態では、通知画面７０が、チューナ１１を介して取得されたサービス情報（ＳＩ）に基づくチャンネル番号リストを、ＵＳＢ型チューナ５０を介して取得されたサービス情報（ＳＩ）に基づくチャンネル番号リストに置き換える更新処理を行うか否かをユーザに問い合わせる旨のメッセージ７１を含んでおり、制御部１８を、メッセージ７１に対するユーザの操作に基づいて、更新処理を行うか否かを決定する制御を行うように構成することによって、チャンネル番号リストの更新処理を行うか否かは、ユーザが視聴可能なテレビ番組の数が増えるか否かに直接関わる内容であるので、通知画面７０がチャンネル番号リストの更新処理を行うか否かを問い合わせるメッセージ７１を含むことによって、ユーザの注意を確実に引きつけるとともに、ユーザに対してデジタルテレビジョン１００の機器設定に関する的確な判断を行わせることができる。
【００５７】
また、第１実施形態では、制御部１８を、更新処理を行う際、ＵＳＢ型チューナ５０にデジタルテレビジョン放送波を受信させて表示画面部３０に表示させるとともに、チューナ１１の受信周波数を順次変更させながらスキャニングを行わせることにより、放送事業者による更新後の番組情報に基づいたチャンネル番号リストを作成して更新処理を行うように構成することによって、デジタルテレビジョン１００に内蔵されているチューナ１１を使用してスキャニングを行うので、より確実かつ迅速に現在の番組情報を取得することができる。他方で、外部接続されたＵＳＢ型チューナ５０を用いることにより、一時的にでもデジタルテレビジョン放送波を受信することができるので、チューナ１１がスキャニング中であっても、ユーザのテレビ番組の視聴を容易に継続させることができる。
【００５８】
また、第１実施形態では、制御部１８を、更新処理を行う際、チューナ１１を介して取得された番組情報と、ＵＳＢ型チューナ５０を介して取得された番組情報とを比較した際の差分に基づいて、チューナ１１にスキャニングを行わせることにより、放送事業者による更新後の番組情報に基づいたチャンネル番号リストを作成する制御を行うように構成することによって、チューナ１１を使用してスキャニングを行う際、更新の有無に関係なく全ての放送事業者から発信された放送波を順次受信して番組情報を取得する場合と異なり、更新の有無が生じている放送事業者から発信された番組情報のみを選択的に取得して更新後の番組情報に基づいたチャンネル番号リストを作成することができる。これにより、スキャニング動作に関わる制御部１８の負担を軽減することができるととともに、チャンネル番号リストの作成に要する時間を短くすることができる。
【００５９】
また、第１実施形態では、制御部１８を、１週間毎に、チューナ１１を介して取得された番組情報と、外部接続されたＵＳＢ型チューナ５０の受信周波数を順次変更させながらスキャニングを行わせて取得された番組情報とを比較して、放送事業者により番組情報が更新されたか否かを判断する制御を行うように構成することによって、制御部１８による番組情報の新旧の比較処理を不定期に行う場合と異なり、番組情報の比較処理を１週間毎に定期的に行う分、番組情報の更新の有無を確実に把握することができる。すなわち、番組情報が更新されたことを見落とす確率が低くなる分、常に、ユーザに対して確実な情報（機器設定の状態）を通知することができる。
【００６０】
また、第１実施形態では、制御部１８を、チューナ１１を介して取得された番組情報と、ＵＳＢ型チューナ５０を介して取得された番組情報とが異なると判断した際に、通知画面７０を表示画面部３０に表示させることにより通知画面７０をユーザに対して通知する制御を行うように構成することによって、デジタルテレビジョン１００の現在の機器設定の状態を、表示画面部３０を介してユーザに確実に通知することができる。
【００６１】
（第２実施形態）
図２、図３、図５および図６を参照して、本発明の第２実施形態によるＨＤＤレコーダ２００の構成について説明する。なお、第２実施形態では、放送受信装置の一例であるＨＤＤレコーダ２００に本発明を適用した場合について説明する。
【００６２】
本発明の第２実施形態によるＨＤＤレコーダ２００は、図６に示すように、装置本体に内蔵された制御回路部２１０と、ユーザが離れた位置からＨＤＤレコーダ２００を操作するために設けられたリモコン２５５とを備えている。
【００６３】
また、ＨＤＤレコーダ２００は、アンテナケーブル４１を介してアンテナ４０に接続されることにより、各放送事業者から送出されるテレビジョン放送波を受信することが可能に構成されている。また、ＨＤＤレコーダ２００は、制御回路部２１０に設けられた外部入力端子２１７を介して外部機器（第２実施形態ではデジタルテレビジョン２５０）が接続されるように構成されている。なお、デジタルテレビジョン２５０は、本発明の「外部機器」の一例である。
【００６４】
また、制御回路部２１０には、所定の伝送チャンネルを選局して放送事業者毎のテレビジョン放送波を受信するチューナ２１１と、受信されたテレビジョン放送波をデジタル信号に復調するＯＦＤＭ復調部２１２と、復調後の符号化されたデジタル信号（ＴＳ）をデコードするＴＳデコーダ２１３と、ＴＳデコーダ２１３により復号された映像信号および音声信号の各々に関する各種処理を行う映像処理部２１４および音声処理部２１５と、ＯＳＤ部２１６とが設けられている。なお、チューナ２１１は、本発明の「第１受信部」の一例である。
【００６５】
また、制御回路部２１０は、上述した構成に加えて、外部機器としてのデジタルテレビジョン２５０をＨＤＤレコーダ２００と接続するための外部入力端子２１７と、ＣＰＵからなりＨＤＤレコーダ２００の全体の制御を司る制御部２１８と、メモリ部２１９と、受光部２２０と、チューナ２１１によって受信されたテレビ番組を記録可能なデータ形式に変換した状態で記録するＨＤＤ部（ハードディスクドライブ部）２２１とが設けられている。また、制御回路部２１０の各構成要素は、バス２２２を介して互いに接続されることにより、制御部２１８による指令信号やＴＳに含まれる各種データを互いにやり取りすることが可能に構成されている。
【００６６】
したがって、ＨＤＤレコーダ２００は、チューナ２１１によって受信されたテレビ番組をＨＤＤ部２２１に記録する機能を有する一方、チューナ２１１が受信したテレビジョン放送波をバス２２２および外部入力端子２１７を経由させてデジタルテレビジョン２５０に表示させることが可能に構成されている。
【００６７】
すなわち、ＨＤＤレコーダ２００では、上記第１実施形態によるデジタルテレビジョン１００が有する機能と同様に、テレビジョン放送波を受信した際に各放送事業者から送出されたＴＳに含まれるＳＩに基づいて、ユーザが選局可能なチャンネル番号リスト６０（図２参照）が作成されるように構成されている。すなわち、ユーザが装置本体をアンテナ４０に接続して最初に使用する際に、制御部２１８の指令によりチューナ２１１の受信周波数を順次変更させながら各放送事業者から送出されたＴＳを順次スキャニングすることにより、各々のＴＳに含まれるＳＩ（ＥＩＴ）に基づいて、装置本体内にチャンネル番号リスト６０が予め構築されるように構成されている。これにより、ユーザがリモコン２５５などを介してチャンネル選局を行った際、チャンネル番号リスト６０に基づいてチューナ２１１の受信周波数を切り換えることにより、選択されたチャンネル番号に対応するテレビジョン放送波を受信することが可能とされている。
【００６８】
また、デジタルテレビジョン２５０には、上述したチューナ２１１と同様に、所定の伝送チャンネルを選局して放送事業者毎のテレビジョン放送波を受信するチューナ２５１が内蔵されている。なお、チューナ２５１は、本発明の「第２受信部」の一例である。
【００６９】
ここで、第２実施形態では、ＨＤＤレコーダ２００によるテレビ番組の視聴がなされている状態で、ユーザによりデジタルテレビジョン２５０がＨＤＤレコーダ２００に接続された際、制御部２１８は次の処理動作を行うことが可能に構成されている。すなわち、制御部２１８の指令に基づいて、デジタルテレビジョン２５０のチューナ２５１の受信周波数を順次変更させながら各放送事業者から送出されている現在のＴＳを順次スキャニングすることが可能に構成されている。この際、制御部２１８は、チューナ２５１が外部入力端子２１７に接続されたことをトリガとして、チューナ２５１を使用した現在のＴＳのスキャニングを自動的に行うように構成されている。また、スキャニングの結果、チューナ２１１が過去の時点でスキャニングしてメモリ部２１９に記録している放送事業者毎のサービス情報（ＳＩ）と、チューナ２５１がスキャニングした現在の放送事業者毎のサービス情報（ＳＩ）とを比較して両者に差異が生じていると判断された場合、該当する放送事業者において、過去の時点（前回スキャニングした時点）からサービス情報（ＳＩ）が更新されている旨を示す通知画面７０をデジタルテレビジョン２５０を介してユーザに対して通知するように構成されている。
【００７０】
すなわち、第２実施形態においても、図３に示すような通知画面７０がデジタルテレビジョン２５０の表示画面部３０に表示されるように構成されている。
【００７１】
したがって、表示画面部３０内の通知画面７０を見たユーザが、リモコン２５５を操作して「ＯＫ」ボタン７２を選択した場合、放送事業者毎に更新された最新のサービス情報（ＳＩ）に基づいてチャンネル番号リスト６０を再構築する処理が行われるように構成されている。ここで、上記した制御部２１８によるチャンネル番号リスト６０を再構築してメモリ部２１９に上書き保存する処理（オートプリセット動作）が、本発明の「更新処理」に対応している。
【００７２】
また、第２実施形態では、ユーザの操作に基づいてチャンネル番号リスト６０の再構築を行う際、テレビジョン放送波の受信先をチューナ２１１からチューナ２５１（図６参照）に一時的に切り換えて、視聴中のテレビ番組を表示画面部３０に表示させるように構成されている。そして、チューナ２５１が一時的な受信機能を担う間、制御部２１８により装置本体内部のチューナ２１１の受信周波数を順次変更させながら各放送事業者から現在送出中のＴＳを順次スキャニングすることにより、各々のＴＳに含まれるサービス情報（ＳＩ）を取得するように構成されている。そして、取得された各々のサービス情報（ＳＩ）に含まれるＥＩＴに基づいて、チャンネル番号リスト６０（図２参照）が再構築されるように構成されている。
【００７３】
なお、第２実施形態によるＨＤＤレコーダ２００が有するその他の構成および機能については、上記第１実施形態で示したデジタルテレビジョン１００が有するその他の構成および機能と略同様である。また、第２実施形態によるＨＤＤレコーダ２００にデジタルテレビジョン２５０を外部接続した際に制御部２１８により実行される制御動作についても、上記第１実施形態で説明した制御部１８により実行される制御動作（図５に示す処理フロー）と略同様である。
【００７４】
第２実施形態では、上記のように、チューナ２１１を介して取得された放送事業者毎の番組情報（ＰＳＩ／ＳＩ）と、デジタルテレビジョン２５０のチューナ２５１を介して取得された放送事業者毎の番組情報（ＰＳＩ）とを比較することにより、チューナ２１１を介して取得された番組情報と、チューナ２５１を介して取得された番組情報とが異なると判断した際に、放送事業者において番組情報が更新されている旨を示す通知画面７０をユーザに対して通知する制御を行う制御部２１８を備えることによって、ユーザは、通知された通知画面７０に基づいて、ＨＤＤレコーダ２００の現在の機器設定の状態を確実に把握することができる。これにより、ユーザは、ＨＤＤレコーダ２００に対する適切な操作を行うことができる。
【００７５】
また、第２実施形態では、制御部２１８を、チューナ２１１を介して取得された番組情報と、装置本体に接続されたデジタルテレビジョン２５０のチューナ２５１を介して取得された番組情報とが異なると判断した際に、通知画面７０をユーザに対して通知する制御を行うように構成することによって、ユーザは、ＨＤＤレコーダ２００と接続されている外部機器（デジタルテレビジョン２５０）を有効に利用して、ＨＤＤレコーダ２００の現在の状態を把握することができる。また、ＨＤＤレコーダ２００に設けられた外部入力端子２１７を有効に利用して、ＨＤＤレコーダ２００の機器設定の状態を容易に把握することができる。
【００７６】
また、第２実施形態では、制御部２１８を、装置本体に接続されたデジタルテレビジョン２５０の受信周波数を順次変更させながらスキャニングを行わせることにより、装置本体内のチューナ２１１を介して取得された放送事業者毎の番組情報とデジタルテレビジョン２５０を介して取得された放送事業者毎の番組情報とを比較して、チューナ２１１を介して取得された番組情報とデジタルテレビジョン２５０を介して取得された番組情報とが異なると判断した際に、通知画面７０をユーザに対して通知する制御を行うように構成することによって、元々、ＨＤＤレコーダ２００に内蔵されているチューナ２１１の受信機能を中断させることなく継続させた状態で、外部接続されたデジタルテレビジョン２５０を用いて現在の番組情報を放送事業者毎にスキャニングすることができるので、チューナ２１１の受信機能を中断させない分、ユーザに何ら影響を及ぼすことなくテレビ番組の視聴を継続させることができる。
【００７７】
また、第２実施形態では、制御部２１８を、更新処理を行う際、デジタルテレビジョン２５０にデジタルテレビジョン放送波を受信させて表示させるとともに、チューナ２１１の受信周波数を順次変更させながらスキャニングを行わせることにより、放送事業者による更新後の番組情報に基づいたチャンネル番号リスト６０を作成して更新処理を行うように構成することによって、ＨＤＤレコーダ２００に内蔵されているチューナ２１１を使用してスキャニングを行うので、より確実かつ迅速に現在の番組情報を取得することができる。他方で、外部接続されたデジタルテレビジョン２５０を用いることにより、一時的にでもデジタルテレビジョン放送波を受信することができるので、チューナ２１１がスキャニング中であっても、ユーザのテレビ番組の視聴を容易に継続させることができる。
【００７８】
また、第２実施形態では、制御部２１８を、チューナ２１１を介して取得された番組情報と、デジタルテレビジョン２５０を介して取得された番組情報とが異なると判断した際に、通知画面７０をデジタルテレビジョン２５０に表示させることにより通知画面７０をユーザに対して通知する制御を行うように構成することによって、ＨＤＤレコーダ２００の現在の機器設定の状態を、デジタルテレビジョン２５０を介してユーザに確実に通知することができる。
【００７９】
なお、第２実施形態のその他の効果については、上記第１実施形態と同様である。
【００８０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８１】
たとえば、上記第１および第２実施形態では、本発明の「放送受信装置」が、家屋などに設置されたアンテナを介して、本発明の「第１受信部」が地上波デジタル放送および衛星デジタル放送の両方の放送形式を含むテレビジョン放送波を受信するように構成された例について示したが、本発明はこれに限られない。本発明では、放送受信装置が、ケーブル回線（光ケーブル回線（インターネット回線）を含む）に接続された状態で第１受信部を介してデジタルテレビジョン放送波を受信するように構成されていてもよい。
【００８２】
また、上記第１および第２実施形態では、本発明の「放送受信装置」に外部からテレビジョン放送波を別系統で入力するための本発明の「第２受信部」が、本体付属のアンテナを介して電波を受信するように構成された例について示したが、本発明はこれに限られない。本発明では、第２受信部が、ケーブル回線（光ケーブル回線（インターネット回線）を含む）に接続された状態でデジタルテレビジョン放送波を受信して放送受信装置に入力するように構成されていてもよい。
【００８３】
また、上記第１実施形態では、本発明の「外部機器」としてＵＳＢ型チューナ５０を用いた例について示したが、本発明はこれに限られない。本発明では、デジタルテレビジョン１００の外部入力端子１７がＥｘｐｒｅｓｓ  Ｃａｒｄ規格に対応したカードスロットを備えている場合には、カード型チューナを用いて第２受信部を構成してもよい。あるいは、本発明の「外部機器」として、上記第２実施形態で用いたＨＤＤレコーダ２００を接続するようにしてもよいし、デジタルテレビジョン放送波が受信可能であれば、ＨＤＤレコーダ以外のＤＶＤレコーダ、ＢＤレコーダまたはセットトップボックス（信号変換装置）などの機器を接続してもよい。また、上記した外部機器がデジタルテレビジョン１００に１台のみならず２台以上接続されていてもよい。
【００８４】
また、上記第１および第２実施形態では、本発明の「放送受信装置」に１つの第１受信部が設けられている例について示したが、本発明はこれに限られない。本発明では、第１受信部および第２受信部が、共に放送受信装置の装置本体内部に設けられていてもよい。
【００８５】
また、上記第１実施形態では、チャンネル番号リスト６０の再構築を行う際、テレビジョン放送波の受信先をチューナ１１からＵＳＢ型チューナ５０に一時的に切り換えた後、チューナ１１を使用して各放送事業者が送出中のＴＳを順次スキャニングさせるように構成した例について示したが、本発明はこれに限られない。本発明では、チャンネル番号リスト６０の再構築を行う際、テレビジョン放送波の受信先をチューナ１１に固定したまま、ＵＳＢ型チューナ５０を使用して各放送事業者が送出中のＴＳを順次スキャニングさせるように構成してもよい。
【００８６】
また、上記第１実施形態では、ＵＳＢ型チューナ５０がデジタルテレビジョン１００に接続された際のスキャニング動作（ＵＳＢ型チューナ５０による現在のサービス情報（ＳＩ）のスキャニング動作）を１週間ごとに行うように構成した例について示したが、本発明はこれに限られない。本発明では、１週間以外の、たとえば、３日おき、５日おき、１ヶ月おきなどの所定期間毎に、スキャニング動作を行わせるように構成してもよい。
【００８７】
また、上記第１実施形態では、ＵＳＢ型チューナ５０によるスキャニング動作によって過去のサービス情報（ＳＩ）とに差異が生じて場合に通知される案内情報を通知画面７０を使用してユーザに通知するように構成した例について示したが、本発明はこれに限られない。本発明では、この案内情報（メッセージ７１の内容）を、スピーカ３１から音声を出力してユーザに通知するように構成してもよいし、表示画面部３０に通知画面７０を表示するのと同時にスピーカ３１から音声を出力してユーザに通知するように構成してもよい。ここで、音声のみで通知する場合は、たとえば、ユーザがリモコン５５を操作してデジタルテレビジョン１００の機器設定を行うためのメニュープログラム（設定画面）を起動した後に、通知画面７０または通知画面８０に類似したダイアログ画面を介してチャンネル番号リスト６０の再構築（更新処理）を行わせるように構成することが可能である。
【００８８】
また、上記第１および第２実施形態では、チューナ１１（２１１）が過去の時点でスキャニングしてメモリ部１９（２１９）に記録している放送事業者毎のサービス情報（ＳＩ）と、ＵＳＢ型チューナ５０（チューナ２５１）がスキャニングした現在の放送事業者毎のサービス情報（ＳＩ）とを比較して番組情報の更新の有無を判断するように構成した例について示したが、本発明はこれに限られない。本発明では、放送事業者毎のサービス情報（ＳＩ）に基づいてデジタルテレビジョン１００またはＨＤＤレコーダ２００が独自に作成するＥＰＧ（電子番組ガイド）を利用して、外部機器が接続される前と後とでのＥＰＧの新旧を比較することにより、現在の放送事業者が送出する番組情報の更新の有無を判断するように構成してもよい。
【００８９】
また、上記第１および第２実施形態では、日本でのデジタル放送方式におけるＥＰＧ符号化の規格であるＡＲＩＢ  ＳＴＤ−Ｂ１０に規定されたＰＳＩ／ＳＩ（番組配列情報）に基づいてチャンネル番号リスト６０の再構築を行う例について示したが、本発明はこれに限られない。すなわち、ヨーロッパ地域でのデジタル放送方式におけるＥＰＧ符号化の規格であるＤＶＢ−ＳＩに規定された番組配列情報に基づいてチャンネル番号リストの再構築うように構成してもよい。あるいは、アメリカ地域でのデジタル放送方式におけるＥＰＧ符号化の規格であるＡＴＳＣ−ＳＩに規定された番組配列情報に基づいてチャンネル番号リストの再構築うように構成してもよい。さらには、上記した地域（国）以外の地域で運用されているデジタル放送方式の規格に則って、本発明の「番組情報」に基づいたチャンネル番号リストの再構築うように構成することも可能である。
【符号の説明】
【００９０】
１１、２１１  チューナ（第１受信部）
１８、２１８  制御部
３０  表示画面部（表示装置）
５０  ＵＳＢ型チューナ（外部機器、第２受信部）
６０  チャンネル番号リスト
７０  通知画面（案内情報）
７１  メッセージ
１００  デジタルテレビジョン（放送受信装置）
２００  ＨＤＤレコーダ（放送受信装置）
２５０  デジタルテレビジョン（外部機器、表示装置）
２５１  チューナ（第２受信部）
【図１】
2011223196.tif 000003
【図２】
2011223196.tif 000004
【図３】
2011223196.tif 000005
【図４】
2011223196.tif 000006
【図５】
2011223196.tif 000007
【図６】
2011223196.tif 000008